(57)【要約】第１の端局装置と第２の端局装置との間に運用系及び予備系からなる冗長構成を備える光波長多重伝送システムにおいて、第１の端局装置は、ダミー光を出力する光源と、予備系に対してダミー光を挿入するカプラと、ダミー光を変化させる制御部と、を備える。第２の端局装置は、予備系からダミー光を抽出するカプラと、抽出されたダミー光を検出する検出器と、を備える。検出器での検出結果に応じ、第１の端局装置と第２の端局装置との間の予備系の経路を特定してその予備系の正常性が確認される。
2017168994.tif 000002
【特許請求の範囲】
【請求項１】
第１の端局装置と第２の端局装置との間に運用系及び予備系からなる冗長構成を備える光波長多重伝送システムであって、
前記第１の端局装置は、ダミー光を出力する光源と、前記予備系に対して前記ダミー光を挿入する第１のカプラと、前記ダミー光を変化させる制御部と、を有し、
前記第２の端局装置は、前記予備系から前記ダミー光を抽出する第２のカプラと、前記抽出されたダミー光を検出する検出器と、を有し、
前記検出器での検出結果に応じて前記第１の端局装置と前記第２の端局装置との間の前記予備系の経路を特定して当該予備系の正常性を確認可能とする、光波長多重伝送システム。
【請求項２】
第１の端局装置と第２の端局装置との間に、第１及び第２の光回線が設定されて前記第１及び第２の光回線により運用系及び予備系からなる冗長構成が形成される光波長多重伝送システムであって、
前記第１の端局装置は、
前記第１及び第２の光回線にそれぞれ設けられた第１及び第２のカプラと、
前記第１及び第２のカプラに対してそれぞれ接続してダミー光を発生する第１及び第２の光源と、
前記第１及び第２の光源のうち前記予備系に対応する光源を作動させて該光源からのダミー光を変化させる制御部と、
を有し、
前記第２の端局装置は、
前記第１及び第２の光回線にそれぞれ設けられて前記ダミー光を抽出する第３及び第４のカプラと、
前記第３及び第４のカプラにそれぞれ接続して前記抽出されたダミー光を検出する第１及び第２の検出器と、を有し、
前記第１及び第２の検出器のうち前記予備系に対応する検出器での検出結果に応じて前記第１の端局装置と前記第２の端局装置との間の前記予備系の経路を特定して当該予備系の正常性を確認可能とする、光波長多重伝送システム。
【請求項３】
第１の端局装置と第２の端局装置との間に、第１及び第２の光回線が設定されて前記第１及び第２の光回線により運用系及び予備系からなる冗長構成が形成される光波長多重伝送システムであって、
前記第１の端局装置は、
前記第１及び第２の光回線にそれぞれ設けられた第１及び第２のカプラと、
ダミー光を発生する光源と、
前記第１及び第２のカプラのうち前記予備系に対応するカプラを選択して前記選択したカプラに対して前記ダミー光を供給する選択スイッチと、
前記選択スイッチを制御するとともに前記ダミー光を変化させる制御部と、
を有し、
前記第２の端局装置は、
前記第１及び第２の光回線にそれぞれ設けられて前記ダミー光を抽出する第３及び第４のカプラと、
前記第３及び第４のカプラにそれぞれ接続して前記抽出されたダミー光を検出する第１及び第２の検出器と、を有し、
前記第１及び第２の検出器のうち前記予備系に対応する検出器での検出結果に応じて前記第１の端局装置と前記第２の端局装置との間の前記予備系の経路を特定して当該予備系の正常性を確認可能とする、光波長多重伝送システム。
【請求項４】
前記選択スイッチは波長選択性スイッチである、請求項３に記載の光波長多重伝送システム。
【請求項５】
前記第１の端局装置は、前記第１及び第２の光回線のうち前記運用系に対応する光回線を選択して選択された光回線に対して光波長多重信号を送出するスイッチを備え、
前記第２の端局装置は、前記運用系に対応する前記光回線を選択して選択された光回線から前記光波長多重信号を取り出すセレクタを備える、請求項２乃至４のいずれか１項に記載の光波長多重伝送システム。
【請求項６】
前記ダミー光は、前記光波長多重信号に含まれる複数の波長と一致する複数の波長の光を有する請求項５に記載の光波長多重伝送システム。
【請求項７】
前記ダミー光は、前記光波長多重信号に含まれる複数の波長をカバーする波長帯域の光である、請求項５に記載の光波長多重伝送システム。
【請求項８】
前記ダミー光は、前記光波長多重信号に含まれる複数の波長のうちの１つの波長の光である請求項５に記載の光波長多重伝送システム。
【請求項９】
複数の前記第１の端局装置を備え、前記制御部は、前記第１の端局装置ごとに異なるパターンで前記ダミー光を変化させる、請求項１乃至８のいずれか１項に記載の光波長多重伝送システム。
【請求項１０】
前記ダミー光の変化は前記ダミー光の強度の変化である、請求項１乃至９のいずれか１項に記載の光波長多重伝送システム。
【請求項１１】
前記光源はＡＳＥ光源である、請求項１乃至１０のいずれか１項に記載の光波長多重伝送システム。
【請求項１２】
運用系及び予備系からなる冗長構成を備える光波長多重伝送システムにおいて送信側の端局に設けられる光多重伝送装置であって、
ダミー光を出力する光源と、
前記予備系に対して前記ダミー光を挿入するカプラと、
前記ダミー光を変化させる制御部と、を有し、
受信側の端局での前記ダミー光の検出結果に応じて前記送信側の端局と前記受信側の端局との間の前記予備系の経路を特定して当該予備系の正常性を確認可能とする、光波長多重装置。
【請求項１３】
第１及び第２の光回線により運用系及び予備系からなる冗長構成が形成される光波長多重伝送システムにおいて送信側の端局に設けられる光多重伝送装置であって、
前記第１及び第２の光回線にそれぞれ設けられた第１及び第２のカプラと、
前記第１及び第２のカプラに対してそれぞれ接続してダミー光を発生する第１及び第２の光源と、
前記第１及び第２の光源のうち前記予備系に対応する光源を作動させて該光源からのダミー光を変化させる制御部と、
を有し、
受信側の端局での前記ダミー光の検出結果に応じて前記送信側の端局と前記受信側の端局との間の前記予備系の経路を特定して当該予備系の正常性を確認可能とする、光波長多重装置。
【請求項１４】
第１及び第２の光回線により運用系及び予備系からなる冗長構成が形成される光波長多重伝送システムにおいて送信側の端局に設けられる光多重伝送装置であって、
前記第１及び第２の光回線にそれぞれ設けられた第１及び第２のカプラと、
ダミー光を発生する光源と、
前記第１及び第２のカプラのうち前記予備系に対応するカプラを選択して前記選択したカプラに対して前記ダミー光を供給する選択スイッチと、
前記選択スイッチを制御するとともに前記ダミー光を変化させる制御部と、
を有し、
受信側の端局での前記ダミー光の検出結果に応じて前記送信側の端局と前記受信側の端局との間の前記予備系の経路を特定して当該予備系の正常性を確認可能とする、光波長多重装置。
【請求項１５】
前記選択スイッチは波長選択性スイッチである、請求項１４に記載の光波長多重装置。
【請求項１６】
前記第１及び第２の光回線のうち前記運用系に対応する光回線を選択して選択された光回線に対して光波長多重信号を送出するスイッチを備える、請求項１３乃至１５のいずれか１項に記載の光波長多重装置。
【請求項１７】
前記ダミー光は、前記光波長多重信号に含まれる複数の波長と一致する複数の波長の光を有する請求項１６に記載の光波長多重装置。
【請求項１８】
前記ダミー光は、前記光波長多重信号に含まれる複数の波長をカバーする波長帯域の光である、請求項１６に記載の光波長多重装置。
【請求項１９】
前記ダミー光は、前記光波長多重信号に含まれる複数の波長のうちの１つの波長の光である請求項１６に記載の光波長多重装置。
【請求項２０】
前記制御部は、前記光波長多重装置に固有の異なるパターンで前記ダミー光を変化させる、請求項１２乃至１９のいずれか１項に記載の光波長多重装置。
【請求項２１】
前記ダミー光の変化は前記ダミー光の強度の変化である、請求項１２乃至２０のいずれか１項に記載の光波長多重伝送装置。
【請求項２２】
前記光源はＡＳＥ光源である、請求項１３乃至２１のいずれか１項に記載の光波長多重装置。
【請求項２３】
第１の端局装置と第２の端局装置との間に運用系及び予備系からなる冗長構成を備える光波長多重伝送システムにおける予備系確認方法であって、
前記第１の端局装置において、変動するダミー光を前記予備系に挿入することと、
前記第２の端局装置において、前記予備系から前記ダミー光を抽出して検出することと、
前記第２の端局装置での検出結果に応じて前記第１の端局装置と前記第２の端局装置との間の前記予備系の経路を特定して当該予備系の正常性を確認可能とすることと、
を有する予備系確認方法。
【請求項２４】
第１の端局装置ごとに当該第１の端局装置に固有のパターンで前記ダミー光を変動させ、
前記第２の端局装置において前記ダミー光から前記固有のパターンを検出することにより、前記検出したダミー光を生成した前記第１の端局装置を特定する、請求項２３に記載の予備系確認方法。
【請求項２５】
前記ダミー光の変動は前記ダミー光の強度の変動である、請求項２３または２４に記載の予備系確認方法。
【発明の詳細な説明】
【技術分野】
【０００１】
本発明は、光波長多重伝送システムと、光波長多重伝送システムにおいて用いられる光波長多重装置と、光波長多重伝送システムにおける予備系確認方法とに関する。
【背景技術】
【０００２】
近年、インターネットなどの普及に伴って映像などの大容量コンテンツを扱うサービスが急速に拡大しており、大容量コンテンツを伝送するためにバックボーンネットワークにおいても大容量化が進んでいる。こうしたネットワークは、一般に、端局間を光ファイバで接続して波長分割多重を行う光波長多重伝送システムとして構成されており、光波長多重伝送システムにおいても高速大容量化と多機能化が進んでいる。光波長多重伝送システムにおけるネットワークのトポロジーも、これまでのポイント−ツー−ポイント（point-to-point；２地点間直接接続）からリング構成やメッシュ構成へのものへと需要が移行している。このような複雑化に伴い、光波長多重伝送システムでは、伝送路の監視の重要性も高まり、伝送路の切り替えを自動的に行い、信頼性を向上させることが求められている。【０００３】
光波長多重伝送システムの特徴として、伝送路上の中継ノードにおいて、光信号を電気信号に変換することなく光信号のままで増幅することが挙げられる。そのため、光回線の品質を把握するための誤り率（エラーレート）などの情報は、伝送路の終端ポイントでしか把握することができない。これまでは、伝送路品質の監視としては、終端ポイントで光信号を電気信号に変換した後に誤り率を求める程度の管理で十分であったが、システムの複雑化に伴って冗長構成などを採用した光波長多重伝送システムでは、電気信号に変換することなく光信号のままで区間単位での回線品質の監視、あるいは予備系の回線の品質の監視が必要となっている。また、光波長多重伝送システムの複雑化、高機能化に伴って、光波長多重伝送システムに設けられる光多重伝送装置も多様化しており、多様化する光多重伝送装置では、複雑化する波長配置の監視のために、光検出器の一種であるＯＣＭ（Optical Channel Monitor；光チャネルモニタ）を用いたスペクトラムの監視も行われている。【０００４】
伝送経路上で発生し得る障害に対応するために運用系と予備系とからなる冗長構成とし、運用系において障害が発生した場合には予備系に自動的に切り替えるようにした光波長多重伝送システムでは、運用系から予備系に切り替える前提として予備系において障害が発生していないことが必要であるから、運用系だけでなく予備系についても、常時、障害の発生の有無を監視することが必要である。特許文献１には、送信側の装置において予備系に対してダミー光を挿入し、運用系における障害を受信側の装置で検出したときに、受信側の装置は予備系からのダミー光を参照して運用系から予備系への切り替えの可否を判断することが開示されている。特許文献２には、複数の端局装置を有し、各端局装置が光クロスコネクト装置を有する光波長多重装置である光波長多重伝送システムにおいて、各光波長多重装置内にダミー光源を設け、光クロスコネクト装置を介してダミー光源からのダミー光を予備系に挿入することが開示されている。
【先行技術文献】
【特許文献】
【０００５】
【特許文献１】国際公開第０１／３５５８２号
【特許文献２】特開第２００６−１９６９３８号公報
【発明の概要】
【発明が解決しようとする課題】
【０００６】
端局装置である光波長多重装置によりダミー光を予備系に挿入し、受信側でダミー光を検出することによって予備系での障害の有無を判定する場合、光波長多重伝送システムにおけるネットワーク構成によっては複数の端局装置からのダミー光が受信側に入射する可能性がある。複数の端局装置からのダミー光が受信側に入射する場合、予備系のどこかにおいて障害が発生しても、受信側は、障害が発生した箇所を経由しない経路で接続する端局装置からのダミー光を検出してしまうから、予備系に起きた障害を検出できないことになる。また単純に、送信端となる端局装置において予備系にダミー光を挿入した場合、受信側でダミー光を検出するだけでは、予備系のどの区間で障害が起きているかを判別することができない。【０００７】
本発明の目的は、運用系と予備系とからなる冗長構成を採用するる光波長多重伝送システムであって、区間を特定して予備系における障害を検出できる光波長多重伝送システムと、この光波長多重伝送システムにおいて用いられる光波長多重装置とを提供することにある。【０００８】
本発明の目的は、運用系と予備系とからなる冗長構成を採用した光波長多重伝送システムにおける予備系の障害を検出する予備系確認方法であって、区間を特定して予備系における障害を検出できる予備系確認方法を提供することにある。
【課題を解決するための手段】
【０００９】
本発明の光波長多重伝送システムは、第１の端局装置と第２の端局装置との間に運用系及び予備系からなる冗長構成を備える光波長多重伝送システムであって、第１の端局装置は、ダミー光を出力する光源と、予備系に対してダミー光を挿入するカプラと、ダミー光を変化させる制御部と、を有し、第２の端局装置は、予備系からダミー光を抽出するカプラと、抽出されたダミー光を検出する検出器と、を有し、検出器での検出結果に応じて第１の端局装置と第２の端局装置との間の予備系の経路を特定してその予備系の正常性を確認可能とする。【００１０】
本発明の光波長多重装置は、運用系及び予備系からなる冗長構成を備える光波長多重伝送システムにおいて送信側の端局に設けられる光多重伝送装置であって、ダミー光を出力する光源と、予備系に対してダミー光を挿入するカプラと、ダミー光を変化させる制御部と、受信側の端局でのダミー光の検出結果に応じて送信側の端局と受信側の端局との間の予備系の経路を特定してその予備系の正常性を確認することと、を有する。【００１１】
本発明の光波長多重伝送システムにおける予備系確認方法は、第１の端局装置と第２の端局装置との間に運用系及び予備系からなる冗長構成を備える光波長多重伝送システムにおける予備系確認方法であって、第１の端局装置において、変動するダミー光を予備系に挿入することと、第２の端局装置において、予備系からダミー光を抽出して検出することと、を有し、第２の端局装置での検出結果に応じて第１の端局装置と第２の端局装置との間の予備系の経路を特定してその予備系の正常性を確認可能とする。
【発明の効果】
【００１２】
本発明によれば、運用系と予備系とからなる冗長構成を採用するる光波長多重伝送システムにおいて、区間を特定して予備系における障害を検出できる。
【図面の簡単な説明】
【００１３】
【図１】本発明の第１の実施形態の光波長多重伝送システムの構成を示すブロック図である。
【図２】本発明の第１の実施形態の光波長多重伝送システムの構成の別の例を示すブロック図である。
【図３】本発明の第１の実施形態の光波長多重伝送システムの構成のさらに別の例を示すブロック図である。
【図４】第２の実施形態の光波長多重伝送システムにおけるネットワーク構成を示す図である。
【図５】第２の実施形態の光波長多重伝送システムの構成を示すブロック図である。
【発明を実施するための形態】
【００１４】
次に、本発明の好ましい実施の形態について、図面を参照して説明する。図１は、本発明の実施の一形態の光波長多重伝送システムの構成を示している。なお、添付の図面において、光または光信号の伝送の方向を端的に示すために矢印が用いられているが、矢印の使用は、伝送の双方向性を排除するものではなく、特に、同一の光伝送路を用いる双方向の伝送を排除するものではない。
【００１５】
図１に示す光波長多重伝送システムは、２つの端局装置間１１，１２を光伝送路で接続したものであり、光伝送路は、運用系２１と冗長系２２とからなる冗長構成となっている。ここでは、光波長分割多重（ＷＤＭ；wavelength division multiplexing）による光信号が第１の端局装置１１から第２の端局装置１２に向けて送られるものとする。第１の端局装置１１は、冗長構成となっている光伝送路に対して光波長多重分割による光信号を送出するものであるので、光波長多重装置ということになる。図示されていないが光伝送路の途中には光中継装置や光分岐装置が設けられていてもよいし、光伝送路の途中に光中継装置や光分岐装置を設けなくてもよい。予備系２２は、運用系２１での障害発生時に運用系２１に代わって光信号を伝送するので、運用系２１で使用するのと同じチャネル数の光波長多重信号を伝送できるだけの伝送波長帯域幅を有している必要がある。もっとも、必要な伝送波長帯域幅を確保できるのであれば、光波長多重信号の伝送のために使用する波長は、運用系２１と予備系２２との間で異なっていてもよい。
【００１６】
第１の端局装置１１には、運用系２１と予備系２２の光伝送路の一端が引き込まれており、通常動作時において運用系２１には既に光信号が伝送されているものとする。第１の端局装置１１は、ダミー光を出力する光源（Ｓ）３１と、予備系２２に対してダミー光を挿入するカプラ（ＣＰＬ）３２と、光源３１を制御してダミー光を変化させる制御部（ＣＴＲＬ）４０と、を備えている。一方、第２の端局装置１２には、運用系２１と予備系２２の光伝送路の他端が引き込まれている。第２の端局装置１２は、予備系からダミー光を抽出するカプラ３３と、抽出されたダミー光を検出する検出器（ＤＥＴ）３４と、を備えている。ダミー光としては、運用系２１上で伝送される光波長多重信号（すなわち主信号）と同じ波長構成の多重波長光を用いてもよいし、主信号とは異なる波長構成の多重波長光であってもよい。さらに、ダミー光として、多重波長光ではなく、主信号と同じような波長帯域幅を有するブロードなスペクトル分布を有する光を用いてもよい。
【００１７】
本実施形態の光波長多重システムでは、第１の端局装置１１において、制御部４０によって光源３１を制御し、ダミー光の例えば強度を意図的に変動させる。このようにダミー光を意図的に制御すると、それに応じて検出器３４において検出されるダミー光も変動する。第１の端局装置１１に固有の変化パターンを用いて第１の端局装置１１においてダミー光を変化させれば、検出器３４で検出されたダミー光の変化パターンと第１の端局装置１１に対する変化パターンとを比較することにより、検出器３４で検出されたダミー光に第１の端局装置１１からのダミー光が含まれているかを判定することができる。したがって、複数の端局装置からのダミー光が予備系２２を介して第２の端局装置１２に到来するような場合であっても、第１の端局装置１１からの予備系２２を介したダミー光が第２の端局装置１２に到達したかどうかを判定できる。したがって、検出器３４での検出結果に応じて第１の端局装置１１と第２の端局装置１２との間の予備系２２の経路を特定することが可能になる。このとき、第１の端局装置１１と第２の端局装置１２との間が単一区間であるとすれば、その区間における予備系２２の正常性を確認できる。ダミー光の変化パターンとしては、例えば、ダミー光の強度変動における周波数や、ダミー光を断続的に発生させるとしてそのときの周期や継続時間を用いることができる。
【００１８】
第１の実施形態の光波長多重伝送システムを拡張したものとして、第１の端局装置１１と第２の端局装置１２との間の光伝送路に、第１の端局装置１１と同様にダミー光を予備系２２に挿入する他の端局装置あるいは中間装置を接続することもできる。このとき、端局装置あるいは中間装置ごとにダミー光の変化パターンを異ならせれば、第２の端局装置１２においてダミー光を検出する際に、どの端局装置あるいは中間装置からのダミー光を検出できてどの端局装置あるいは中間装置からのダミー光を検出できなかったかを判断できる。予備系２２の区間ごとにこのような端局装置あるいは中間装置を設けるとすれば、予備系２２の区間ごとにその区間における予備系２２の正常性を確認することが可能となる。言い換えれば、光波長多重伝送システムに複数の第１の端局装置を設けられる場合に、これらの第１の端局装置はそれぞれが固有のパターンでダミー光を変動させるようにすれば、第２の端局装置１２において検出したダミー光からそれらの固有のパターンを検出することにより、検出したダミー光を生成した第１の端局装置がどれであるかを特定することが可能になる。
【００１９】
図１に示した光波長多重伝送システムでは、第１の端局装置１１と第２の端局装置１２との間の光伝送路の一方を運用系２１に固定し、他方を予備系２２に固定し、予備系２２のみにダミー光を挿入している。しかしながら、光波長多重伝送システムの運用の柔軟性の観点からは、複数ある光伝送路あるいは光の中で運用系と予備系とを固定しないことが好ましい。図２及び図３に示した光波長多重伝送システムは、いずれも図１に示したものと同様のものではあるが、第１の端局装置１１と第２の端局装置１２との間で複数の光伝送路（図では２本の光伝送路２３ａ，２３ｂ）が設定されているときに、一方を運用系とし他方を予備系として、運用系と予備系とを任意に切り替えられるようにしたものである。このため、どちらが予備系であるかに応じてダミー光が挿入される光伝送路を切り替え可能である必要がある。
【００２０】
図２に示したものでは、光波長多重装置である第１の端局装置１１において、光伝送路２３ａ，２３ｂに対してそれぞれダミー光を挿入するためのカプラ３２ａ，３２ｂが設けられ、ダミー光を発生する光源３１とカプラ３２ａ，３２ｂの間には、カプラ３２ａ，３２ｂのいずれかにダミー光を振り分けるためのスイッチ（ＳＷ）３５が設けられている。スイッチ３５は、制御部４０によって制御される。第２の端局装置１２においては、ダミー光を抽出するためのカプラ３３ａ，３３ｂが光伝送路２３ａ，２３ｂに対してそれぞれ設けられており、カプラ３３ａ，３３ｂに対して、抽出されたダミー光を検出する検出器３４ａ，３４ｂがそれぞれ設けられている。
【００２１】
図３に示したものでは、光波長多重装置である第１の端局装置１１において、ダミー光を発生する２つの光源３１ａ，３１ｂが設けられている。どちらの光源でダミー光を発生するかは制御部４０によって制御される。光伝送路２３ａ，２３ｂに対してそれぞれダミー光を挿入するためのカプラ３２ａ，３２ｂが設けられ、カプラ３２ａ，３２ｂに対してそれぞれ光源３１ａ，３１ｂが接続している。図３に示したシステムにおける第２の端局装置１２の構成は、図２に示したものと同じである。
【００２２】
次に、第２の実施形態の光波長多重伝送システムについて説明する。第２の実施形態では、一例として、海底光ケーブルを用いて構成された光波長多重伝送システムについて説明する。まず、第２の実施形態の説明を行う前に、海底光ケーブルを用いる光波長多重伝送システムの概要について説明する。光波長多重伝送システムは、これまでの大陸間通信などに広く適用されており、海底光ケーブルを用いる光波長多重伝送システムでは、使用する回線数が少ない初期の導入時において、回線に割り当てられていない波長に対してダミー光を挿入し、これにより、設定される回線数が増えたときのパワー変動を抑える手法が一般的に用いられている。近年では、ＡＳＥ（Amplified Spontaneous Emission；増幅自然放出光）光源とＷＳＳ（Wavelength Selective Switch；波長選択性スイッチ）とを組み合わせたフレキシブルな光源が用いられてるようになってきている。また光波長多重伝送システムにおいて海底に沈められる分岐装置においても、ＲＯＡＤＭ（Reconfigurable Optical Add/Drop Multiplexer；再構成可能光分岐挿入装置）機能を有するような自由度のあるシステムとすることの要求が強く、将来的には、ＣＤＣ(Colorless, Directionless and Contentionless)機能を有するＣＤＣ−ＲＯＡＤＭの導入が検討されている。ＣＤＣは、任意の波長を出力可能(Colorless)であり、任意の方路へ出力可能(Directionless)であり、波長や方路の衝突がない(Contentionless)ことを意味する。
【００２３】
図４は、第２の実施形態の光波長多重伝送システムにおけるネットワーク構成を示している。例えば海底において光ファイバケーブルなどからなる光伝送路５１がリング状に敷設されている。光伝送路５１には、海底などに設置される複数の海中分岐装置が設けられている。ここでは、４つの海中分岐装置５２Ａ〜５２Ｄが設けられている。海中分岐装置５２Ａ〜５２Ｄとしては、上述したようなＲＯＡＤＭ機能を有するもの、あるいはＣＤＣ−ＲＯＡＤＭ機能を有するものが好ましい。海中分岐装置５２Ａ〜５２Ｄには、それぞれ、光ファイバケーブルなどからなる接続用の光伝送路５３Ａ〜５３Ｄを介して陸上の端局５４Ａ〜５４Ｄが接続している。端局５４Ａ〜５４Ｄには、それぞれ、端局装置である光波長多重装置５５Ａ〜５５Ｄと、光波長多重装置５５Ａ〜５５Ｄに接続する端局終端装置（ＴＰＤＮ；トランスポンダとも呼ぶ）５６Ａ〜５６Ｄとが設けられている。光波長多重装置５５Ａ〜５５Ｄは、光伝送路５１，５３Ａ〜５３Ｄの少なくとも１つを用いて、相手方となる端局の光波長多重装置との間で運用系と予備系とからなる冗長構成を採用した光波長分割多重（ＷＤＭ）伝送を行う。
【００２４】
図５は、光波長多重装置５５Ａ〜５５Ｄの構成を示している。光波長多重装置５５Ａ〜５５Ｄの構成は、端局５４Ａ〜５４Ｄによらずに同一のものとすることができるが、ここでは、端局５４Ａと端局５４Ｂとの間での光信号の伝送を説明するために、端局５４Ａの光波長多重装置５５Ａと端局５４Ｂの光波長多重装置５５Ｂの両方が示されている。以下では、端局５４Ａを送信端とし、端局５４Ｂを受信端とする伝送を主として説明する。
【００２５】
図４のネットワーク構成から分かるように、端局５４Ａと端局５４Ｂとの間の経路としては、端局５４Ａから海中分岐装置５２Ａを通り、海中分岐装置５２Ｃを経由して、海中分岐装置５２Ｂから端局５４Ｂに至る経路と、端局５４Ａから海中分岐装置５２Ａを通り、海中分岐装置５２Ｄを経由して、海中分岐装置５２Ｂから端局５４Ｂに至る経路とがある。本実施形態では、このような２通りの経路を利用して冗長経路を構成するものとするが、端局５４Ａと海中分岐装置５２Ａの間は、多心の接続用光伝送路５３Ａにおける２つの物理経路を用いて冗長経路を構成し、同様に、端局５４Ｂと海中分岐装置５２Ｂの間は、多心の接続用光伝送路５３Ｂにおける２つの物理経路を用いて冗長経路を構成するものとする。すると、光多重伝送装置５５Ａから光多重伝送装置５５Ｂに向かう２つの光回線６１Ａ，６２Ａが形成され、光多重伝送装置５５Ｂから光多重伝送装置５５Ａに向かう２つの光回線６１Ｂ，６２Ｂが形成されることになる。図４で示した例では、運用系の光回線が太実線で示されており、海中分岐装置５２Ｄを経由している。これに対して予備系の光回線は、太点線で示されており、海中分岐装置５２Ｃを経由して端局５４Ｃの光波長多重装置５５Ｃで折り返され、再び海中分岐装置５２Ｃを経由して海中分岐装置５２Ｂに向かっている。なお、図示される光波長多重伝送システムでは、端局５４Ａと端局５４Ｃの間で伝送される主信号や、端局５４Ｃと端局５４Ｂの間で伝送される主信号が存在し得るが、これらの主信号の存在を考慮しても、端局５４Ａと端局５４Ｂには、運用系と同じチャネル数分の予備系の帯域が確保されているものとする。
【００２６】
端局５４Ａの光波長多重装置５５Ａは、トランスポンダ５６Ａからの光波長多重信号を光回線６１Ａ，６２Ａのうちの運用系の光回線に送出するスイッチ７１Ａと、ダミー光を光回線に挿入するために光回線６１，６２にそれぞれ設けられたカプラ７２Ａ，７３Ａと、ＡＳＥ光源（ＡＳＥ）７４Ａと、ＡＳＥ光源７４Ａからの光から波長を選択してダミー光とし、カプラ７２Ａ，７３Ａのうち予備系に対応するカプラに対してダミー光を供給する波長選択性スイッチ（ＷＳＳ）７５Ａと、ＡＳＥ光源７４Ａ及び波長選択性スイッチ７５Ａを制御してダミー光を制御し、さらにダミー光の送出す先となるカプラを選択する制御部７６Ａと、を備えている。スイッチ７１Ａ、カプラ７２Ａ，７３Ａ、ＡＳＥ光源７４Ａ、波長選択性スイッチ７５Ａ及び制御部７６Ａは、送信端としての機能を実現するために設けられている。さらにこの光波長多重装置５５Ａは、光回線６１Ｂ，６２Ｂのうち運用系の回線を選択し、端局５４Ｂから伝送されてきた光波長多重信号をトランスポンダ５６Ａに出力するセレクタ８１Ａと、光回線６１Ｂ，６２Ｂにそれぞれ接続して光回線６１Ｂ，６２Ｂからダミー光を抽出するカプラ８２Ａ，８３Ａと、カプラ８２Ａ，８３Ａにそれぞれ接続して抽出された光を検出する光チャネルモニタ（ＯＣＭ）８４Ａ，８５Ａと、を備えている。光チャネルモニタ８４Ａ，８５Ａのうち運用系の光回線に対応するものは、運用系での光波長多重信号のスペクトラムを監視し、予備系の光回線に対応するものは、ダミー光の検出と監視を行う。セレクタ８１Ａ、カプラ８２Ａ，８３Ａ及び光チャネルモニタ８４Ａ，８５Ａは、受信端としての機能を実現するために設けられている。端局５４Ａの光波長多重装置５５Ａと同様に、端局５４Ｂの光波長多重装置５５Ｂは、スイッチ７１Ｂ、カプラ７２Ｂ，７３Ｂ，８２Ｂ，８３Ｂ、ＡＳＥ光源７４Ｂ、波長選択性スイッチ７５Ｂ、制御部７６Ｂ、セレクタ８１Ｂ及び光チャネルモニタ８４Ｂ，８５Ｂを備えている。
【００２７】
関連技術における冗長構成を有するシステムでは送信側を分岐して受信端側で選択する構成が一般的であるが、光波長分割多重による光波長多重伝送システムは、長距離伝送を前提とするため、冗長構成のための回路を通過する際の伝送損失を最小限にする必要がある。そのため、図４及び図５に示した光波長多重伝送システムでは、送信端において、冗長構成を形成する２つの光回線のうちの一方に対し、スイッチによりトランスポンダからの光波長多重信号を分岐させ、さらに、他方の光回線に対してＡＳＥ光源からのダミー光を送出する構成となっている。これにより、通常時には運用系の光回線で主信号が伝送され、予備系の光回線にダミー光が挿入されることになる。図５に示したものでは、端局５４Ａにおいて、トランスポンダ５６Ａから光波長多重装置５５Ａに対して波長λ1，λ2，λ3からなる光波長多重信号が入力し、この光波長多重信号は、主信号として、この時点で運用系Ｗである光回線６１Ａを介して端局５４Ｂ側に伝送される。一方、ＡＳＥ光源７４Ａ及び波長選択性スイッチ７５Ａにより、波長λ1，λ2，λ3からなるダミー光が生成され、このダミー光は、この時点で予備系Ｐである光回線６２Ａを介して端局５４Ｂ側に伝送されている。
【００２８】
運用系から予備系への切り替えを考えると、予備系において別の障害が発生している場合もあるので、不用意に切り替えを行うことを避けたほうが望ましい。受信端においてはダミー光の有無を検出するだけで予備系の正常性の一応の確認を行うことができるが、例えば、受信端である端局５４Ｂに到着している予備系のダミー光が、送信端である端局５４Ａで生成したダミー光でない場合も考えられる。例えば図４に示した例において、予備系の回線は、端局５４Ａ→端局５４Ｃ→端局５４Ｂの経路を通過しているが、端局Ａと端局５４Ｃの間で障害が発生したとすると、端局５４Ｃの光波長多重装置５５Ｃが、端局５４Ｃから端局５４Ｂ方向への別回線への影響を考慮し、欠落した波長帯にダミー光を挿入することも考えられる。この場合、端局５４Ｂの受信端で検出したダミー光が端局５４Ａで挿入されたものか端局５４Ｃで挿入されたものかは、ダミー光の有無だけでは判断できない。したがって、端局５４Ｂでの検出結果に応じて光回線の切り替えを実行しても、端局Ａと端局Ｂの間の光回線が復旧しない場合もあり得る。
【００２９】
本実施形態の光波長多重伝送システムは、送信端において生成されるダミー光を変動させ、例えばダミー光のパワーを変動させ、受信端側の光チャネルモニターによってダミー光の変動を確認することにより、予備系の正常性を確認するものである。確認結果に応じて、運用系から予備系への切り替えを行うことができる。ここで、端局５４Ａにおいて挿入するダミー光と端局５４Ｃにおいて挿入されるダミー光とについては、例えば挿入するダミー光の強度を変動させるときの変動の周波数などを端局５４Ａと端局５４Ｃとで変えることによって、端局５４Ｂでの判断を容易にすることができる。
【００３０】
このように本実施形態の構成を採用することにより、光波長多重伝送システムの構成が複雑になった場合であっても、光伝送路上の光回線が使用されているか否かの有無に関わらず、光伝送路での区間単位での監視が可能となる。これにより、関連技術の方法では十分には監視できなかった予備系の光回線の監視が可能となり、運用系から予備系へのスムーズな切り替えが実施可能となり、障害発生時の復旧時間を削減することが可能となる。
【００３１】
本実施形態の光波長多重伝送システムでは、以下に説明するような変更が可能である。例えば、ＲＯＡＤＭなどを用いたシステムでは、光波長多重信号についてその波長ごとに別々の経路を伝送することが可能である。このようなシステムにおいて、複数の波長に対して同一のルートが設定されているのであれば、同一のルート上にある複数の波長を１グループと考えて、このグループ内の波長から１つの代表波長を選び、代表波長に対応するダミー光に対して変動を与えれば、グループの全ての波長を監視したことになる。これにより、複数の波長の全てについてダミー光の監視を行うことの必要がなくなるので、監視に要する時間を短縮することができる。
【００３２】
また上記では、端局５４Ａから端局５４Ｂに向けた光回線の監視を中心に説明したが、当然のことながら、運用系と予備系からなる冗長構成を双方向に適用した光波長多重伝送システムにおいても本実施形態を適用することができる。例えば図４に示したネットワーク構成において、端局５４Ｂから端局５４Ａへ向かう伝送を行う際に海底中継装置５２Ｃを経由する経路が予備系であって予備系の光回線は端局５４Ｃでいったん折り返される場合に、端局５４Ｂにおいて端局５４Ｃに向かう予備系の光回線に対し、上述と同様に強度を意図的に変動させたダミー光を挿入することができる。そして、受信端となる端局５４Ａにおいてダミー光の変動を正常に検出できた場合にのみ、端局５４Ａからのダミー光を変動させるようにすることにより、端局５４Ａと端局５４Ｂとの間で双方向の光回線の監視を行うことが可能になる。図５に示した例では、光回線６１Ｂが運用系Ｗ２、光回線６２Ｂが予備系Ｐ２に設定されており、端局５４Ｂでは、光回線６２Ｂに対してダミー光が挿入されている。
【００３３】
以上、実施形態を参照して本発明を説明したが、本発明は上記の実施形態に限定されるものではない。本発明の構成や詳細には、本発明の範囲内で当業者が理解し得る様々な変更をすることができる。
【００３４】
この出願は、２０１６年３月２９日に出願された日本国特許出願：特願２０１６−０６５６０１を基礎とする優先権を主張し、その開示の全てをここに取り込む。
【００３５】
上記の実施形態の一部又は全部は、以下の付記のようにも記載され得るが、以下には限られるものではない。
【００３６】
［付記１］
第１の端局装置と第２の端局装置との間に運用系及び予備系からなる冗長構成を備える光波長多重伝送システムであって、
前記第１の端局装置は、ダミー光を出力する光源と、前記予備系に対して前記ダミー光を挿入する第１のカプラと、前記ダミー光を変化させる制御部と、を有し、
前記第２の端局装置は、前記予備系から前記ダミー光を抽出する第２のカプラと、前記抽出されたダミー光を検出する検出器と、を有し、
前記検出器での検出結果に応じて前記第１の端局装置と前記第２の端局装置との間の前記予備系の経路を特定して当該予備系の正常性を確認可能とする、光波長多重伝送システム。
【００３７】
［付記２］
第１の端局装置と第２の端局装置との間に、第１及び第２の光回線が設定されて前記第１及び第２の光回線により運用系及び予備系からなる冗長構成が形成される光波長多重伝送システムであって、
前記第１の端局装置は、
前記第１及び第２の光回線にそれぞれ設けられた第１及び第２のカプラと、
前記第１及び第２のカプラに対してそれぞれ接続してダミー光を発生する第１及び第２の光源と、
前記第１及び第２の光源のうち前記予備系に対応する光源を作動させて該光源からのダミー光を変化させる制御部と、
を有し、
前記第２の端局装置は、
前記第１及び第２の光回線にそれぞれ設けられて前記ダミー光を抽出する第３及び第４のカプラと、
前記第３及び第４のカプラにそれぞれ接続して前記抽出されたダミー光を検出する第１及び第２の検出器と、を有し、
前記第１及び第２の検出器のうち前記予備系に対応する検出器での検出結果に応じて前記第１の端局装置と前記第２の端局装置との間の前記予備系の経路を特定して当該予備系の正常性を確認可能とする、光波長多重伝送システム。
【００３８】
［付記３］
第１の端局装置と第２の端局装置との間に、第１及び第２の光回線が設定されて前記第１及び第２の光回線により運用系及び予備系からなる冗長構成が形成される光波長多重伝送システムであって、
前記第１の端局装置は、
前記第１及び第２の光回線にそれぞれ設けられた第１及び第２のカプラと、
ダミー光を発生する光源と、
前記第１及び第２のカプラのうち前記予備系に対応するカプラを選択して前記選択したカプラに対して前記ダミー光を供給する選択スイッチと、
前記選択スイッチを制御するとともに前記ダミー光を変化させる制御部と、
を有し、
前記第２の端局装置は、
前記第１及び第２の光回線にそれぞれ設けられて前記ダミー光を抽出する第３及び第４のカプラと、
前記第３及び第４のカプラにそれぞれ接続して前記抽出されたダミー光を検出する第１及び第２の検出器と、を有し、
前記第１及び第２の検出器のうち前記予備系に対応する検出器での検出結果に応じて前記第１の端局装置と前記第２の端局装置との間の前記予備系の経路を特定して当該予備系の正常性を確認可能とする、光波長多重伝送システム。
【００３９】
［付記４］
前記選択スイッチは波長選択性スイッチである、付記３に記載の光波長多重伝送システム。
【００４０】
［付記５］
前記第１の端局装置は、前記第１及び第２の光回線のうち前記運用系に対応する光回線を選択して選択された光回線に対して光波長多重信号を送出するスイッチを備え、
前記第２の端局装置は、前記運用系に対応する前記光回線を選択して選択された光回線から前記光波長多重信号を取り出すセレクタを備える、付記２乃至４のいずれか１項に記載の光波長多重伝送システム。
【００４１】
［付記６］
前記ダミー光は、前記光波長多重信号に含まれる複数の波長と一致する複数の波長の光を有する付記５に記載の光波長多重伝送システム。
【００４２】
［付記７］
前記ダミー光は、前記光波長多重信号に含まれる複数の波長をカバーする波長帯域の光である、付記５に記載の光波長多重伝送システム。
【００４３】
［付記８］
前記ダミー光は、前記光波長多重信号に含まれる複数の波長のうちの１つの波長の光である付記５に記載の光波長多重伝送システム。
【００４４】
［付記９］
複数の前記第１の端局装置を備え、前記制御部は、前記第１の端局装置ごとに異なるパターンで前記ダミー光を変化させる、付記１乃至８のいずれか１項に記載の光波長多重伝送システム。
【００４５】
［付記１０］
前記ダミー光の変化は前記ダミー光の強度の変化である、付記１乃至９のいずれか１項に記載の光波長多重伝送システム。
【００４６】
［付記１１］
前記光源はＡＳＥ光源である、付記１乃至１０のいずれか１項に記載の光波長多重伝送システム。
【００４７】
［付記１２］
運用系及び予備系からなる冗長構成を備える光波長多重伝送システムにおいて送信側の端局に設けられる光多重伝送装置であって、
ダミー光を出力する光源と、
前記予備系に対して前記ダミー光を挿入するカプラと、
前記ダミー光を変化させる制御部と、を有し、
受信側の端局での前記ダミー光の検出結果に応じて前記送信側の端局と前記受信側の端局との間の前記予備系の経路を特定して当該予備系の正常性を確認可能とする、光波長多重装置。
【００４８】
［付記１３］
第１及び第２の光回線により運用系及び予備系からなる冗長構成が形成される光波長多重伝送システムにおいて送信側の端局に設けられる光多重伝送装置であって、
前記第１及び第２の光回線にそれぞれ設けられた第１及び第２のカプラと、
前記第１及び第２のカプラに対してそれぞれ接続してダミー光を発生する第１及び第２の光源と、
前記第１及び第２の光源のうち前記予備系に対応する光源を作動させて該光源からのダミー光を変化させる制御部と、
を有し、
受信側の端局での前記ダミー光の検出結果に応じて前記送信側の端局と前記受信側の端局との間の前記予備系の経路を特定して当該予備系の正常性を確認可能とする、光波長多重装置。
【００４９】
［付記１４］
第１及び第２の光回線により運用系及び予備系からなる冗長構成が形成される光波長多重伝送システムにおいて送信側の端局に設けられる光多重伝送装置であって、
前記第１及び第２の光回線にそれぞれ設けられた第１及び第２のカプラと、
ダミー光を発生する光源と、
前記第１及び第２のカプラのうち前記予備系に対応するカプラを選択して前記選択したカプラに対して前記ダミー光を供給する選択スイッチと、
前記選択スイッチを制御するとともに前記ダミー光を変化させる制御部と、
を有し、
受信側の端局での前記ダミー光の検出結果に応じて前記送信側の端局と前記受信側の端局との間の前記予備系の経路を特定して当該予備系の正常性を確認可能とする、光波長多重装置。
【００５０】
［付記１５］
前記選択スイッチは波長選択性スイッチである、付記１４に記載の光波長多重装置。
【００５１】
［付記１６］
前記第１及び第２の光回線のうち前記運用系に対応する光回線を選択して選択された光回線に対して光波長多重信号を送出するスイッチを備える、付記１３乃至１５のいずれか１項に記載の光波長多重装置。
【００５２】
［付記１７］
前記ダミー光は、前記光波長多重信号に含まれる複数の波長と一致する複数の波長の光を有する付記１６に記載の光波長多重装置。
【００５３】
［付記１８］
前記ダミー光は、前記光波長多重信号に含まれる複数の波長をカバーする波長帯域の光である、付記１６に記載の光波長多重装置。
【００５４】
［付記１９］
前記ダミー光は、前記光波長多重信号に含まれる複数の波長のうちの１つの波長の光である付記１６に記載の光波長多重装置。
【００５５】
［付記２０］
前記制御部は、前記光波長多重装置に固有の異なるパターンで前記ダミー光を変化させる、付記１２乃至１９のいずれか１項に記載の光波長多重装置。
【００５６】
［付記２１］
前記ダミー光の変化は前記ダミー光の強度の変化である、付記１２乃至２０のいずれか１項に記載の光波長多重伝送装置。
【００５７】
［付記２２］
前記光源はＡＳＥ光源である、付記１３乃至２１のいずれか１項に記載の光波長多重装置。
【００５８】
［付記２３］
第１の端局装置と第２の端局装置との間に運用系及び予備系からなる冗長構成を備える光波長多重伝送システムにおける予備系確認方法であって、
前記第１の端局装置において、変動するダミー光を前記予備系に挿入することと、
前記第２の端局装置において、前記予備系から前記ダミー光を抽出して検出することと、
前記第２の端局装置での検出結果に応じて前記第１の端局装置と前記第２の端局装置との間の前記予備系の経路を特定して当該予備系の正常性を確認可能とすることと、
を有する予備系確認方法。
【００５９】
［付記２４］
第１の端局装置ごとに当該第１の端局装置に固有のパターンで前記ダミー光を変動させ、
前記第２の端局装置において前記ダミー光から前記固有のパターンを検出することにより、前記検出したダミー光を生成した前記第１の端局装置を特定する、付記２３に記載の予備系確認方法。
【００６０】
［付記２５］
前記ダミー光の変動は前記ダミー光の強度の変動である、付記２３または２４に記載の予備系確認方法。
【符号の説明】
【００６１】
１１，１２    端局装置
２１    運用系
２２    予備系
２３ａ，２３ｂ，５１，５３Ａ〜５３Ｄ    光伝送路
３１，３１ａ，３１ｂ    光源（Ｓ）
３２，３２ａ，３２ｂ，３３，３３ａ，３３ｂ，７２Ａ，７２Ｂ，７３Ａ，７３Ｂ，８２Ａ，８２Ｂ，８３Ａ，８３Ｂ    カプラ（ＣＰＬ）
３４，３４ａ，３４ｂ    検出器（ＤＥＴ）
３５，７１Ａ，７１Ｂ    スイッチ（ＳＷ）
４０，７６Ａ，７６Ｂ    制御部（ＣＴＲＬ）
５４Ａ〜５４Ｄ    端局
５５Ａ〜５５Ｄ    光波長多重装置
６１Ａ，６１Ｂ，６２Ａ，６２Ｂ    光回線
７４Ａ，７４Ｂ    ＡＳＥ光源（ＡＳＥ）
７５Ａ，７５Ｂ    波長選択性スイッチ（ＷＳＳ）
８１Ａ，８１Ｂ    セレクタ（ＳＥＬ）
８４Ａ，８４Ｂ，８５Ａ，８５Ｂ    光チャネルモニター（ＯＣＭ）
【図１】
2017168994.tif 000003
【図２】
2017168994.tif 000004
【図３】
2017168994.tif 000005
【図４】
2017168994.tif 000006
【図５】
2017168994.tif 000007
【国際調査報告】
2017168994.tif 000008
2017168994.tif 000009
2017168994.tif 000010
2017168994.tif 000011